(57)【特許請求の範囲】
【請求項１】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路であって、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有する昇圧回路と、
制御端子を備え、被制御路が前記各発光ダイオードの通電路に挿入されて、前記昇圧回路の前記制御手段により制御される第４のスイッチング手段と
を具備し、且つ前記制御手段は、
前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成したことを特徴とする撮影用照明装置。
【請求項２】
第１段目のオン動作によりカメラの撮影準備を行い、第２段目のオン動作によりシャッタレリーズ動作を行なわせるための２段動作式のレリーズスイッチをさらに備え、且つ
前記制御手段は、前記レリーズスイッチに応答し、該レリーズスイッチの前記第１段目がオン動作された場合、および前記レリーズスイッチの第１段目のオンにより前記発光ダイオードによる照明の必要性の有無が判断されてその結果必要と判断された場合のいずれかにおいて、前記制御信号により前記第２のスイッチング手段をオンとして、前記コンデンサを充電させる
ことを特徴とする請求項１に記載の撮影用照明装置。
【請求項３】
前記制御手段は、
前記レリーズスイッチの第２段目のオン動作時、
前記レリーズスイッチの第１段目のオン動作から所定時間経過した後、および通電によってシャッタ羽根を開閉するアクチュエータを有する場合のその通電の直前、
のうちのいずれかのタイミングにおいて、前記第２のスイッチング手段をオフとする
ことを特徴とする請求項２に記載の撮影用照明装置。
【請求項４】
前記制御手段は、前記シャッタ羽根がほぼ開放付近に達した時点で、前記第１のスイッチング手段をオンとし、且つ該シャッタ羽根が閉じ始めた時点で前記第１のスイッチング手段をオフとすることを特徴とする請求項１〜３のうちのいずれか１項に記載の撮影用照明装置。
【請求項５】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
前記電池電源をオン／オフ制御する電源スイッチと、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路であって、該昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有する昇圧回路と、
制御端子を備え、被制御路が前記各発光ダイオードの通電路に挿入されて、前記昇圧回路の前記制御手段により制御される第３のスイッチング手段と
を具備し、且つ前記制御手段は、
前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成したことを特徴とする撮影用照明装置。
【請求項６】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給する昇圧回路であって、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有する昇圧回路と、
エミッタ−コレクタ間が前記各発光ダイオードの通電路に挿入され且つベース電極が前記第１のスイッチング手段と前記第２のスイッチング手段との接続点に接続されたトランジスタからなる第４のスイッチング手段と
を具備し、且つ前記制御手段は、
前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成したことを特徴とする撮影用照明装置。
【請求項７】
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給する昇圧回路であって、該昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有する昇圧回路と、
エミッタ−コレクタ間が前記各発光ダイオードの通電路に挿入され且つベース電極が前記第１のスイッチング手段と前記抵抗との接続点および前記抵抗の中間点のいずれか一方に接続されたトランジスタからなる第３のスイッチング手段とを具備し、且つ前記制御手段は、
前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成したことを特徴とする撮影用照明装置。
【請求項８】
前記小型大容量のコンデンサは、電気二重層を用いたコンデンサを含むことを特徴とする請求項１〜７のうちのいずれか１項に記載の撮影用照明装置。
【発明の詳細な説明】
【０００１】
【発明の属する技術分野】
本発明は、在来の写真フィルムを用いるカメラ、ディジタルカメラ等と称される電子カメラ、およびビデオカメラ等による撮影に際し被写体に照明光を照射するための撮影用照明装置の改良に係り、特に、高感度フィルムを用いた撮影や電子カメラを用いた撮影に好適な撮影用照明装置に関する。
【０００２】
【従来の技術】
近年、写真フィルム、いわゆる銀塩フィルムの感度が向上し、ＩＳＯ感度８００〜１６００等の高感度フィルムが、一般消費者にも容易に入手し得るようになった。このため、銀塩フィルムを用いる在来のカメラ、いわゆる銀塩カメラ、によっても高感度フィルムによる高感度撮影が容易に行なえるようになった。さらにデジタルスチルカメラ等と称される電子カメラにおいてもＣＣＤ（電荷結合素子）撮像素子等のような撮像素子の感度が向上してきている。このため、被写体照明に従来の大光量ストロボやフラッドランプのような大光量がかならずしも必要でなくなってきた。
さらに、発光ダイオード（ＬＥＤ）の輝度の向上も目覚しく、しかも光の３原色である赤色、緑色および青色の各色の発光ダイオードが入手できるようになり、各種照明に利用されるようになってきた。
このような発光ダイオードを、カメラ撮影用の照明の光源として採用した従来の技術の一例が、特開平１１−１３３４９０号公報に示されている。
【０００３】
特開平１１−１３３４９０号公報に示された構成においては、電源として、公称１．５Ｖの乾電池を２本用いる時には、これらを直列に接続してなる電池電源から電力を供給して発光ダイオードを発光させる。また、１．５Ｖの電池を１本しか使用しない場合には昇圧回路を用いて発光ダイオードを発光させるようにしている。
また、電気二重層コンデンサを用いて発光ダイオードを発光させる技術が特開平１１−００８９３２号公報に示されている。電気二重層コンデンサは、電解質溶液中に電極を浸漬すると、電極の電荷によってこの電荷とは反対極性の電荷を持ったイオンが電極近傍に分布し、電気二重層を形成することを基本原理としている。電気二重層コンデンサは、この基本原理から、化学反応を伴わずに、イオンの吸着脱離により電荷の蓄積、放電を行なうため、小型大容量のコンデンサを容易に実現することができ、二次電池のように過充電や過放電により特性の劣化を生じることがないという長所がある。特開平１１−００８９３２号公報には、太陽電池の起電力を電気二重層コンデンサに蓄え、蓄えた電気を電源として発光ダイオードを発光させる技術が示されている。
【０００４】
【発明が解決しようとする課題】
しかしながら、現在入手可能な白色発光ダイオード、青色発光ダイオードおよび緑色発光ダイオードを写真撮影に必要な光量で発光させようとすると、順方向電圧は３．５Ｖ以上となる。このため、公称１．５Ｖの乾電池２本では、たとえ直列に接続しても充分な光量を得ることができない。また、発光ダイオードは、その発光色によって順方向電流が異なるため、赤色発光ダイオードの順方向電圧は約２Ｖと低く、公称１．５Ｖの乾電池２本を直列接続した場合には、わざわざ昇圧回路により昇圧する必要がない。また、特開平１１−００８９３２号公報には、単に、太陽電池の起電力を電気二重層コンデンサに蓄えて発光ダイオードの発光に利用することが示されているに過ぎず、小型大容量の電気二重層コンデンサを、電源電圧の昇圧に利用すること、および撮影照明用の発光ダイオードの電源に利用することなどについては、何ら記載されていない。
【０００５】
本発明は、上述した事情に鑑みてなされたもので、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させ、写真等の撮影の照明に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とする撮影用照明装置を提供することを目的としている。
特に、本発明の請求項１の目的は、電池電源による電源電圧よりも順方向電圧の高い発光ダイオードをシャッタが開いている間だけ発光させるための昇圧回路を、簡単な制御信号により作動させて、回路の簡素化およびそれによる部品点数と製造コストの削減を実現し得る撮影用照明装置を提供することにある。
【０００６】
また、本発明の請求項２の目的は、特に、カメラの撮影準備およびシャッタレリーズを所望に応じて適正に操作することを可能とするとともに、それに応じて前記コンデンサの充電開始を制御し、速写性を損なうことなく、適正に前記コンデンサの充電を開始させ得る撮影用照明装置を提供することにある。
本発明の請求項３の目的は、特に、前記第２のスイッチング手段のオフによる前記コンデンサの充電停止を制御し、速写性を損なうことなく、しかもレリーズ時のシャッタ駆動系の負荷と前記コンデンサの充電とが重なることを防止し得る撮影用照明装置を提供することにある。
本発明の請求項４の目的は、特に、撮影照明用の発光ダイオードの発光タイミングを前記シャッタ羽根の開閉動作に対応させ、発光エネルギを効率よく利用することを可能とする撮影用照明装置を提供することにある。
本発明の請求項５の目的は、特に、制御系を含む回路構成を簡単にすることができ、部品点数およびコストを削減し得る撮影用照明装置を提供することにある。
【０００７】
本発明の請求項６の目的は、特に、順方向電圧の低い赤色発光ダイオードと他の色の発光ダイオードとの両方を昇圧回路の出力で共通に駆動することができ、回路構成を簡素化することができ、部品点数およびコストを削減し得る撮影用照明装置を提供することにある。
本発明の請求項７の目的は、特に、制御系を含む回路構成を簡単にすることができ、部品点数およびコストを削減し得るとともに、発光ダイオードの発光時の電流の無駄な消費も低減し得る撮影用照明装置を提供することにある。
本発明の請求項８の目的は、特に、実用的で且つ好適な構成を容易に実現し得る撮影用照明装置を提供することにある。
【０００８】
【課題を解決するための手段】
請求項１に記載した本発明に係る撮影用照明装置は、上述した目的を達成するために、
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路であって、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有する昇圧回路と、
制御端子を備え、被制御路が前記各発光ダイオードの通電路に挿入されて、前記昇圧回路の前記制御手段により制御される第４のスイッチング手段と
を具備し、且つ前記制御手段は、
前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成したことを特徴としている。
【０００９】
また、請求項２に記載した本発明に係る撮影用照明装置は、
第１段目のオン動作によりカメラの撮影準備を行い、第２段目のオン動作によりシャッタレリーズ動作を行なわせるための２段動作式のレリーズスイッチをさらに備え、且つ
前記制御手段は、前記レリーズスイッチに応答し、該レリーズスイッチの前記第１段目がオン動作された場合、および前記レリーズスイッチの第１段目のオンにより前記発光ダイオードによる照明の必要性の有無が判断されてその結果必要と判断された場合のいずれかにおいて、前記制御信号により前記第２のスイッチング手段をオンとして、前記コンデンサを充電させることを特徴としている。
請求項３に記載した本発明に係る撮影用照明装置は、
前記制御手段が、
前記レリーズスイッチの第２段目のオン動作時、
前記レリーズスイッチの第１段目のオン動作から所定時間経過した後、および通電によってシャッタ羽根を開閉するアクチュエータを有する場合のその通電の直前、
のうちのいずれかのタイミングにおいて、前記第２のスイッチング手段をオフとすることを特徴としている。
【００１０】
請求項４に記載した本発明に係る撮影用照明装置は、前記制御手段が、前記シャッタ羽根がほぼ開放付近に達した時点で、前記第１のスイッチング手段をオンとし、且つ該シャッタ羽根が閉じ始めた時点で前記第１のスイッチング手段をオフとすることを特徴としている。
請求項５に記載した本発明に係る撮影用照明装置は、
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
前記電池電源をオン／オフ制御する電源スイッチと、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオードおよび緑色発光ダイオードとのうちの使用されているものに前記昇圧された出力を供給する昇圧回路であって、該昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有する昇圧回路と、
制御端子を備え、被制御路が前記各発光ダイオードの通電路に挿入されて、前記昇圧回路の前記制御手段により制御される第３のスイッチング手段と
を具備し、且つ前記制御手段は、
前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成したことを特徴としている。
【００１１】
請求項６に記載した本発明に係る撮影用照明装置は、
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給する昇圧回路であって、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有する昇圧回路と、
エミッタ−コレクタ間が前記各発光ダイオードの通電路に挿入され且つベース電極が前記第１のスイッチング手段と前記第２のスイッチング手段との接続点に接続されたトランジスタからなる第４のスイッチング手段と
を具備し、且つ前記制御手段は、
前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成したことを特徴としている。
【００１２】
請求項７に記載した本発明に係る撮影用照明装置は、
公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なう撮影用照明装置において、
小型大容量のコンデンサと、
前記電池電源の公称電圧とほぼ等しい電圧に蓄積された前記コンデンサの蓄積電圧を前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給する昇圧回路であって、該昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有する昇圧回路と、
エミッタ−コレクタ間が前記各発光ダイオードの通電路に挿入され且つベース電極が前記第１のスイッチング手段と前記抵抗との接続点および前記抵抗の中間点のいずれか一方に接続されたトランジスタからなる第３のスイッチング手段とを具備し、且つ前記制御手段は、
前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成したことを特徴としている。
請求項８に記載した本発明に係る撮影用照明装置は、前記小型大容量のコンデンサが、電気二重層を用いたコンデンサを含むことを特徴としている。
【００１３】
【作用】
すなわち、本発明の請求項１による撮影用照明装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧に蓄積された小型大容量のコンデンサの蓄積電圧を、昇圧回路により、前記電池電源の電源電圧に上乗せして昇圧し、前記白色発光ダイオードと、前記青色発光ダイオードおよび緑色発光ダイオードとのうちの使用されているものに前記昇圧された出力を供給し、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有し、さらに、制御端子を備えた第４のスイッチング手段を有し、該第４のスイッチング手段は、被制御路が前記各発光ダイオードの通電路に挿入されて、前記昇圧回路の前記制御手段により制御され、且つ前記制御手段は、前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成する。
このような構成により、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを撮影照明用に充分な光量で発光させ、写真等の撮影の照明に使用することができ、特に、電池電源による電源電圧よりも順方向電圧の高い発光ダイオードをシャッタが開いている間だけ発光させるための昇圧回路を、簡単な制御信号により作動させて、回路の簡素化、およびそれによる部品点数と製造コストの削減を実現することができる。
【００１４】
また、本発明の請求項２による撮影用照明装置は、第１段目のオン動作によりカメラの撮影準備を行い、第２段目のオン動作によりシャッタレリーズ動作を行なわせるための２段動作式のレリーズスイッチをさらに備え、且つ前記制御手段は、前記レリーズスイッチに応答し、該レリーズスイッチの前記第１段目がオン動作された場合、および前記レリーズスイッチの第１段目のオンにより前記発光ダイオードによる照明の必要性の有無が判断されてその結果必要と判断された場合のいずれかにおいて、前記制御信号により前記第２のスイッチング手段をオンとして、前記コンデンサを充電させる。
このような構成により、特に、カメラの撮影準備およびシャッタレリーズを所望に応じて適正に操作することを可能とするとともに、それに応じて前記コンデンサの充電開始を制御し、速写性を損なうことなく、適正に前記コンデンサの充電を開始させることが可能となる。
【００１５】
本発明の請求項３による撮影用照明装置は、前記制御手段が、前記レリーズスイッチの第２段目のオン動作時、前記レリーズスイッチの第１段目のオン動作から所定時間経過した後、および通電によってシャッタ羽根を開閉するアクチュエータを有する場合のその通電の直前、のうちのいずれかのタイミングにおいて、前記第２のスイッチング手段をオフとする。
このような構成により、特に、前記第２のスイッチング手段のオフによる前記コンデンサの充電停止を制御し、速写性を損なうことなく、しかもレリーズ時のシャッタ駆動系の負荷と前記コンデンサの充電とが重なることを防止することができる。
本発明の請求項４による撮影用照明装置は、前記制御手段が、前記シャッタ羽根がほぼ開放付近に達した時点で、前記第１のスイッチング手段をオンとし、且つ該シャッタ羽根が閉じ始めた時点で前記第１のスイッチング手段をオフとする。
このような構成により、特に、撮影照明用の発光ダイオードの発光タイミングを前記シャッタ羽根の開閉動作に対応させ、発光エネルギを効率よく利用することが可能となる。
【００１６】
本発明の請求項５による撮影用照明装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源をオン／オフ制御する電源スイッチを備え、前記電池電源の公称電圧とほぼ等しい電圧に蓄積された小型大容量のコンデンサの蓄積電圧を、昇圧回路によって、前記電池電源の電源電圧に上乗せして昇圧し、前記白色発光ダイオードと、前記青色発光ダイオードおよび緑色発光ダイオードとのうちの使用されているものに前記昇圧された出力を供給し、前記昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有し、さらに、制御端子を備えた第３のスイッチング手段を有し、該第３のスイッチング手段は、被制御路が前記各発光ダイオードの通電路に挿入されて、前記昇圧回路の前記制御手段により制御されるとともに、前記制御手段は、前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成する。
このような構成により、特に、制御系を含む回路構成を簡単にすることができ、部品点数およびコストを削減することができる。
【００１７】
本発明の請求項６による撮影用照明装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧に蓄積された小型大容量のコンデンサの蓄積電圧を、昇圧回路によって、前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給し、前記昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有し、さらに、トランジスタからなる第４のスイッチング手段を有し、該第４のスイッチング手段は、エミッタ−コレクタ間が前記各発光ダイオードの通電路に挿入され且つベース電極が前記第１のスイッチング手段と前記第２のスイッチング手段との接続点に接続されるとともに、前記制御手段は、前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うように構成する。
このような構成により、特に、順方向電圧の低い赤色発光ダイオードと他の色の発光ダイオードとの両方を昇圧回路の出力で共通に駆動することができ、回路構成を簡素化することができ、部品点数およびコストを削減することができる。
【００１８】
本発明の請求項７による撮影用照明装置は、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧に蓄積された小型大容量のコンデンサの蓄積電圧を、昇圧回路によって、前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給し、前記昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有し、さらにトランジスタからなる第３のスイッチング手段を有し、該第３のスイッチング手段は、エミッタ−コレクタ間が前記各発光ダイオードの通電路に挿入され且つベース電極が前記第１のスイッチング手段と前記抵抗との接続点および前記抵抗の中間点のいずれか一方に接続されるとともに、前記制御手段は、前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うように構成する。
【００１９】
このような構成により、特に、制御系を含む回路構成を簡単にすることができ、部品点数およびコストを削減し得るとともに、発光ダイオードの発光時の電流の無駄な消費も低減することができる。
本発明の請求項８による撮影用照明装置は、前記小型大容量のコンデンサが、電気二重層を用いたコンデンサを含んでいる。
このような構成により、特に、実用的で且つ好適な構成を容易に実現することができる。
【００２０】
【発明の実施の形態】
以下、図面を参照して本発明の撮影用照明装置の実施の形態を詳細に説明する。
図１は、本発明の（請求項１に対応する）第１の実施の形態に係る撮影用照明装置の回路構成を示している。図１に示す撮影用照明装置は、例えば在来の銀塩カメラに組み込まれているものとする。
図１に示す撮影用照明装置は、電池電源ＢＰ１、トランジスタＱ１、トランジスタＱ２、トランジスタＱ３、制御手段ＳＣ１、ダイオードＤ１、コンデンサＣ１、白色発光ダイオード（白色ＬＥＤ）ＬＷ１、青色発光ダイオード（青色ＬＥＤ）ＬＢ１、緑色発光ダイオード（緑色ＬＥＤ）ＬＧ１、赤色発光ダイオード（赤色ＬＥＤ）ＬＲ１および抵抗Ｒ１〜Ｒ８を具備している。トランジスタＱ１、トランジスタＱ２、制御手段ＳＣ１、ダイオードＤ１、コンデンサＣ１、抵抗Ｒ１および抵抗Ｒ２は、昇圧回路ＶＰ１を構成する。
【００２１】
電池電源ＢＰ１は、例えば、公称１．５Ｖの乾電池２個の直列接続、または公称３Ｖのリチウム電池１個等のように、電池を用いて公称３Ｖの電源電圧を得るように構成している。トランジスタＱ１は、この場合ｐｎｐトランジスタであり、制御端子を有する第１のスイッチング手段を構成する。トランジスタＱ１は、ベース（ベース電極）を制御端子とし、エミッタ（エミッタ電極）−コレクタ（コレクタ電極）間を被制御路としている。トランジスタＱ２は、この場合ｎｐｎトランジスタであり、制御端子を有する第２のスイッチング手段を構成する。トランジスタＱ２は、ベースを制御端子とし、コレクタ−エミッタを被制御路としている。これらトランジスタＱ１の被制御路であるエミッタ−コレクタ間と、トランジスタＱ２の被制御路であるコレクタ−エミッタ間とを互いに直列接続として、電池電源ＢＰ１のプラス側とマイナス側との間に接続している。すなわち、電池電源ＢＰ１のプラス側にトランジスタＱ１のエミッタを接続し、トランジスタＱ１のコレクタをトランジスタＱ２のコレクタに接続し、そしてトランジスタＱ２のエミッタを電池電源ＢＰ１のマイナス側に接続している。トランジスタＱ１のベースは、抵抗Ｒ１を介して制御手段ＳＣ１の第１の制御信号出力φ１（ここから出力される第１の制御信号もφ１としてあらわすものとする）に接続され、トランジスタＱ２のベースは、抵抗Ｒ２を介して制御手段ＳＣ１の第２の制御信号出力φ２（ここから出力される第２の制御信号もφ２としてあらわすものとする）に接続される。
【００２２】
ダイオードＤ１は、第３のスイッチング手段としてコンデンサＣ１と直列に接続され、これらダイオードＤ１とコンデンサＣ１の直列回路は、電池電源ＢＰ１のプラス側と、前記トランジスタＱ１の被制御路とトランジスタＱ２の被制御路との接続点との間に接続される。すなわち、ダイオードＤ１のアノードが電池電源ＢＰ１のプラス側（トランジスタＱ１のエミッタに接続されている）に接続され、ダイオードＤ１のカソード側に一端が接続されたコンデンサＣ１の他端が、トランジスタＱ１のコレクタとトランジスタＱ２のコレクタとの接続点に接続される。コンデンサＣ１としては、例えば電気二重層を用いた電気二重層コンデンサのような、小型大容量のコンデンサを用いる。
白色発光ダイオードＬＷ１、青色発光ダイオードＬＢ１、緑色発光ダイオードＬＧ１および赤色発光ダイオードＬＲ１は、それぞれ所定の順方向電圧以上の電圧にて順方向に通電されると、白色、青色、緑色および赤色に発光する発光ダイオードである。
【００２３】
白色発光ダイオードＬＷ１は、アノード側が抵抗Ｒ５を介して、ダイオードＤ１のカソードとコンデンサＣ１との接続点に接続され、青色発光ダイオードＬＢ１は、アノード側が抵抗Ｒ６を介して、ダイオードＤ１のカソードとコンデンサＣ１との接続点に接続され、そして緑色発光ダイオードＬＧ１は、アノード側が抵抗Ｒ７を介して、ダイオードＤ１のカソードとコンデンサＣ１との接続点に接続される。さらに、赤色発光ダイオードＬＲ１は、アノード側が抵抗Ｒ８を介して、電池電源ＢＰ１のプラス側に接続される。
トランジスタＱ３は、この場合ｎｐｎトランジスタであり、制御端子を有する第４のスイッチング手段を構成する。トランジスタＱ３は、ベースを制御端子とし、コレクタ−エミッタ間を被制御路としている。トランジスタＱ３の被制御路であるコレクタ−エミッタ間は、白色発光ダイオードＬＷ１、青色発光ダイオードＬＢ１、緑色発光ダイオードＬＧ１および赤色発光ダイオードＬＲ１のカソードと電池電源ＢＰ１のマイナス側との間に介挿されている。すなわち、白色発光ダイオードＬＷ１、青色発光ダイオードＬＢ１、緑色発光ダイオードＬＧ１および赤色発光ダイオードＬＲ１のカソードをトランジスタＱ３のコレクタに共通に接続し、トランジスタＱ３のエミッタを電池電源ＢＰ１のマイナス側に接続している。
【００２４】
トランジスタＱ３のベースは、抵抗Ｒ３を介して制御手段ＳＣ１の第３の制御信号出力φ３（ここから出力される第３の制御信号もφ３としてあらわすものとする）に接続される。トランジスタＱ３のベースとエミッタとの間には、抵抗Ｒ４が接続される。トランジスタＱ３は、制御手段ＳＣ１より、シャッタ開閉機構（図示していない）に連動して与えられる制御信号φ３により、シャッタ開放時にオンとなって、白色発光ダイオードＬＷ１、青色発光ダイオードＬＢ１、緑色発光ダイオードＬＧ１および赤色発光ダイオードＬＲ１のカソードを電池電源ＢＰ１のマイナス側に共通接続する。
制御手段ＳＣ１は、第１、第２および第３の制御信号出力φ１、φ２およびφ３を発生し、それぞれ抵抗Ｒ１、Ｒ２およびＲ３を介して、トランジスタＱ１、Ｑ２およびＱ３の各ベースにそれぞれ供給する。制御手段ＳＣ１は、第１および第２の制御信号出力φ１およびφ２により、トランジスタＱ１およびＱ２を作動させて、昇圧回路ＶＰ１の動作を制御し、第３の制御信号出力φ３により、トランジスタＱ３を作動させて、白色発光ダイオードＬＷ１、青色発光ダイオードＬＢ１、緑色発光ダイオードＬＧ１および赤色発光ダイオードＬＲ１の駆動発光を制御する。
【００２５】
このような構成において、昇圧回路ＶＰ１の電源入力端Ｖｉｎには、電池電源ＢＰ１が接続され、公称３Ｖの電源電圧が印加される。昇圧回路ＶＰ１の昇圧出力端Ｖｏｕｔからは電源電圧のほぼ２倍の電圧が出力される。該昇圧出力端Ｖｏｕｔには、写真撮影の照明に用いるための１個以上の白色発光ダイオードＬＷ１、並びに、赤色発光ダイオードＬＲ１、青色発光ダイオードＬＢ１および緑色発光ダイオードＬＧ１の三原色の発光ダイオードのうち、順方向電圧の高いものが接続されている。すなわち、該昇圧出力端Ｖｏｕｔには、白色発光ダイオードＬＷ１、並びに、青色発光ダイオードＬＢ１および緑発光ダイオードＬＧ１が接続されている。なお、順方向電圧の低い赤色発光ダイオードＬＲ１は、電池電源ＢＰ１に直接接続される。
【００２６】
図１においては、昇圧回路ＶＰ１の昇圧出力端Ｖｏｕｔに、白色発光ダイオードＬＷ１、青色発光ダイオードＬＢ１および緑色発光ダイオードＬＧ１が各１個ずつ接続されるものとして示されているが、実際には、撮影の照明用として全て白色発光ダイオードＬＷ１を用いるならば、青色発光ダイオードＬＢ１、緑色発光ダイオードＬＢ１および赤色発光ダイオードＬＲ１の組み合わせによる三原色発光ダイオードは不要である。逆に三原色の発光ダイオードだけを使用するなら、白色発光ダイオードＬＷ１は不要である。もちろん、図１に示されるように白色発光ダイオードＬＷ１と三原色の発光ダイオードＬＢ１、ＬＧ１およびＬＲ１の組みとを混在させて使用してもかまわない。
また、図１においては、各発光ダイオードＬＷ１、ＬＢ１、ＬＧ１およびＬＲ１が、各１個ずつ設けられているが、各発光ダイオードＬＷ１、ＬＢ１、ＬＧ１およびＬＲ１とも複数個ずつ使用しても良いし、三原色発光ダイオードＬＢ１、ＬＧ１およびＬＲ１の各色毎に発光ダイオード単体の発光量が異なる場合は、各色毎に使用個数を変えて、光量のバランスを整えるようにしても構わない。
【００２７】
また、図１においては、赤色発光ダイオードＬＲ１を電源に直接接続するようにしているが、赤色発光ダイオードＬＲ１を昇圧回路ＶＰ１の昇圧出力端Ｖｏｕｔに接続するようにしても良い。撮影に際し、照明用の発光ダイオードＬＷ１、ＬＢ１、ＬＧ１およびＬＲ１の通電制御を行うトランジスタＱ３は、制御手段ＳＣ１により、図示していないシャッタと連動して制御され、シャッタが開いている間だけオンとなり、撮影照明用の発光ダイオードＬＷ１、ＬＢ１、ＬＧ１およびＬＲ１をシャッタが開いている間だけ発光させるようにしている。なお、撮影の際に照明用の発光ダイオードの発光が不要である場合には、制御手段ＳＣ１によって、昇圧回路ＶＰ１の作動を禁止するか、トランジスタＱ３がオンとならないようにすればよい。図１に示す撮影用照明装置は、在来の銀塩カメラに組み込まれているものとして説明したが、実質的に同様の構成を用いて電子カメラ等の他の撮影手段に適用することもできる。
【００２８】
次に、昇圧回路ＶＰ１の動作について図２を参照して具体的に説明する。
（１）第２の制御信号φ２のレベルが“Ｌ”→“Ｈ”と変化すると、トランジスタＱ２がオンとなるため、コンデンサＣ１はほぼ電源電圧まで充電される。
（２）コンデンサＣ１が充電された後、第２の制御信号φ２が“Ｈ”→“Ｌ”と変化するとトランジスタＱ２がオフとなり、コンデンサＣ１への充電が停止する。
（３）次に、第１の制御信号φ１が“Ｈ”→“Ｌ”と変化するとトランジスタＱ１がオンとなり、コンデンサＣ１のマイナス側の電位を電源電圧まで押し上げる。この結果、コンデンサＣ１のプラス側の電位は電源電圧のほぼ２倍の電圧まで上昇する。第１の制御信号φ１を“Ｈ”→“Ｌ”と変化させるのと同時に、第３の制御信号φ３を“Ｌ”→“Ｈ”と変化させると、トランジスタＱ３がオンとなる。この結果、電池電源ＢＰ１の電源電圧と、コンデンサＣ１の充電電圧とが加算されて、ほぼ２倍に昇圧された電圧が負荷である撮影の照明用の発光ダイオードＬＷ１、ＬＢ１、ＬＧ１およびＬＲ１に供給され、電流が流れて発光する。
【００２９】
上述したように、３Ｖの電池を電源に用いて、電源電圧より順方向電圧の高い、白色発光ダイオード、青色発光ダイオードおよび緑色発光ダイオードを、シャッタが開いている間だけ、充分な輝度で発光させることができる。この場合、特に、シャッタが開く前に電気二重層コンデンサのような小型大容量コンデンサに蓄えた電荷を、シャッタが開いている間、電源電池に加算昇圧するようにすることで、簡単な制御信号で昇圧を行うことを可能とし、回路の簡素化を実現するとともに、部品点数およびコストの削減を実現することができる。このため、電圧の高い電池を用いたり、電池の本数を増やしたりすることなく、カメラ等の小型化に貢献することができる。また、上述のように、赤色発光ダイオードは、電源から直接電流を流すようにすれば、昇圧回路を通すよりも電源効率を上げることができる。
【００３０】
このように、発光ダイオードを写真等の撮影の照明用として用いる場合には、ストロボ等のように１ｍｓｅｃにも満たない短い発光時間でなく、シャッタが開いている間中、継続的に発光させることができるため、発光ダイオードそのものの輝度はストロボ等よりも低くて良い。それでも、発光時間は、シャッタが開いている時間であるから、通常の場合、１０ｍｓｅｃ〜数十ｍｓｅｃとなり、通常の照明に比べれば充分に短時間であり、その分だけ、連続発光に比べて大電流を流すことができ、大きな光量を取り出すことが可能となる。このように、１回の発光時間が数十ｍｓｅｃと短く、この期間だけ発光ダイオードに電流を供給するのに、大容量コンデンサに蓄えた電荷を使用するため、発光ダイオードの発光中に昇圧動作を繰り返し行う必要が無くなり、制御およびそのための回路構成が共に簡単となる。さらにこの場合、コンデンサの電圧を電源電池の電源電圧に加算するようにして昇圧回路を構成せているため、コンデンサの耐電圧を下げることができ、小型のコンデンサを使用することが可能となる。
【００３１】
図３は、本発明の（請求項２〜請求項４に対応する）第２の実施の形態に係る撮影用照明装置の動作を説明するためのタイミングチャートである。
この実施の形態においては、図１の構成に加えて、第１段目のオン動作によりカメラの撮影準備を行い、第２段目のオン動作によりシャッタレリーズ動作を行なわせるための２段動作式のレリーズスイッチ（図示していない）をさらに備えており、その作動情報が、昇圧回路ＶＰ１の制御手段ＳＣ１に与えられている。この実施の形態においては、制御手段ＳＣ１は、前記レリーズスイッチに応答し、
（ａ）前記レリーズスイッチの前記第１段目がオン動作された場合、および
（ｂ）前記レリーズスイッチの第１段目のオンにより前記発光ダイオードによる照明の必要性の有無が判断されてその結果必要と判断された場合
のいずれかにおいて、前記制御信号により前記第２のスイッチング手段をオンとして、前記コンデンサを充電させる（請求項２に対応する）。
【００３２】
また、制御手段ＳＣ１は、
（ａ）前記レリーズスイッチの第２段目のオン動作時、
（ｂ）前記レリーズスイッチの第１段目のオン動作から所定時間経過した後、および
（ｃ）通電によってシャッタ羽根を開閉するアクチュエータを有する場合のその通電の直前、
のうちのいずれかのタイミングにおいて、前記第２のスイッチング手段をオフとする（請求項３に対応する）。
さらに、制御手段ＳＣ１は、上述の制御において、前記第１のスイッチング手段をオンとするタイミングを、前記シャッタ羽根がほぼ開放付近に達した時点とし、且つ前記第１のスイッチング手段をオフとするタイミングを前記シャッタ羽根が閉じ始めた時点とするように制御する（請求項４に対応する）。
【００３３】
すなわち、前記レリーズスイッチの第１段目がオンとなった場合、または前記レリーズスイッチの第１段目のオンによって図示していないカメラ等の諸機能が作動して測光や測距が行なわれ、その結果、撮影時に照明が必要と判断された場合のいずれかには、図１に示した制御信号φ２が“Ｌ”→“Ｈ”に変化してコンデンサＣ１の充電を開始する。
この場合の充電に必要な時間はコンデンサＣ１の静電容量（例えば、Ｃ１Ｆ（ファラッド）とする）と充電回路に含まれる抵抗で決まる。この充電回路に含まれる抵抗は、電池電源ＢＰ１の内部抵抗と、ダイオードＤ１と、トランジスタＱ２のオン抵抗と、コンデンサＣ１の内部抵抗との総和であり、通常の場合、数Ω〜十数Ω程度の比較的小さな値である。また、コンデンサＣ１の静電容量は、撮影照明用の発光ダイオードに流す電流およびその時間によって決定されるが、充電時間としては数十ｍｓｅｃ〜１ｓｅｃ程度になる。
【００３４】
前記レリーズスイッチの第１段目がオンとなってから第２段目がオンとなるまでの時間が上述の充電時間よりも長い場合には、前記レリーズスイッチの第２段目がオンとなった時点か、またはシャッタアクチュエータ（図示せず）への通電の直前に充電を停止させるようにすればよい。シャッタアクチュエータへの通電の直前にコンデンサＣ１の充電を停止するのは、電池電源ＢＰ１の負荷ができるだけ重ならないようにして、電源電圧の変動を極力小さく抑えるためである。
また、前記レリーズスイッチの第１段目がオンとなってから第２段目がオンとなるまでの時間が上述した充電時間よりも短い場合には、前記レリーズスイッチの第１段目がオンとなった後、充電時間に相当する所定の時間を経過してからレリーズ動作を行なわせることにより、撮影照明用の発光ダイオードの光量を確保することができる。
【００３５】
そして、撮影照明用の発光ダイオードの発光をもっとも効率よく利用することの可能な発光タイミングは、シャッタが可能な限り全開に近くなった時点からシャッタが閉じ始めるまでの間である。そのために、撮影照明用の発光ダイオードの発光開始は、シャッタが開放になる時点に最も近いタイミングに合わせるのが良い。そのようなタイミングは、シャッタ羽根駆動用アクチュエータの通電タイミングに基づいて得るか、高輝度での露出精度を上げるために従来から用いられているシャッタが開き始める付近を検出するためのシャッタ羽根位置検出手段を利用して得るかすると良い。これらのタイミングを示す信号からシャッタが開放近くになるまでの時間を待って制御手段ＳＣ１からトランジスタＱ１をオンとするための制御信号φ１を出力し、撮影照明用の発光ダイオードを点灯させる。
【００３６】
次に、撮影照明用の発光ダイオードを消灯させるタイミングは、シャッタが閉じ始めてから閉じ終わるまでの間に行なわせる。このタイミングは、通常の場合、シャッタアクチュエータへの通電のオフから所定の時間経過後として得るか、シャッタ羽根に連動するスイッチ（図示せず）によって得る信号を使用して決定する。
このようにして、小型大容量のコンデンサＣ１を、レリーズスイッチの第１段目のオンから、該レリーズスイッチの第２段目のオンまで、またはシャッタ羽根を開閉するアクチュエータに通電する直前まで、あるいはレリーズスイッチの第１段目のオンから第２段目のオンまで間隔が極めて短い場合には該レリーズスイッチの第１段目のオンから所定時間経過した時点まで、の間で充電することにより、速写性を損なうことなく、しかもレリーズ後のシャッタ駆動用アクチュエータの負荷と小型大容量のコンデンサの充電とが同時に重ならないようにすることができる。さらに、撮影照明用の発光ダイオードを発光させるタイミングを、シャッタがほぼ開放している期間に合わせることにより、撮影照明用の発光ダイオードの発光エネルギーを効率よく利用することが可能となる。
【００３７】
図４は、本発明の（請求項５に対応する）第３の実施の形態に係る撮影用照明装置の概略構成を示しており、図５にその動作のタイミングチャートを示している。
図４に示す撮影用照明装置は、電池電源ＢＰ２、トランジスタＱ１１、トランジスタＱ１３、制御手段ＳＣ２、ダイオードＤ１１、コンデンサＣ１１、電源スイッチＰＳＷ１、白色発光ダイオードＬＷ２、青色発光ダイオードＬＢ２、緑色発光ダイオードＬＧ２、赤色発光ダイオードＬＲ２および抵抗Ｒ１１〜Ｒ１８を具備している。トランジスタＱ１１、制御手段ＳＣ２、ダイオードＤ１１、コンデンサＣ１１、抵抗Ｒ１１および抵抗Ｒ１２は、昇圧回路ＶＰ２を構成する。
図４において、電池電源ＢＰ２、トランジスタＱ１１、トランジスタＱ１３、ダイオードＤ１１、コンデンサＣ１１、白色発光ダイオードＬＷ２、青色発光ダイオードＬＢ２、緑色発光ダイオードＬＧ２、赤色発光ダイオードＬＲ２、抵抗Ｒ１１および抵抗Ｒ１３〜Ｒ１８は、図１における電池電源ＢＰ１、トランジスタＱ１、トランジスタＱ３、ダイオードＤ１、コンデンサＣ１、白色発光ダイオードＬＷ１、青色発光ダイオードＬＢ１、緑色発光ダイオードＬＧ１、赤色発光ダイオードＬＲ１、抵抗Ｒ１および抵抗Ｒ３〜Ｒ８とそれぞれほぼ同様の構成である。
【００３８】
図４においては、図１におけるトランジスタＱ２に代えて抵抗Ｒ１２を、トランジスタＱ１１のコレクタと電池電源ＢＰ２のマイナス側との間に介挿し、ダイオードＤ１１のカソード側に一端が接続されたコンデンサＣ１１の他端を、トランジスタＱ１１のコレクタと抵抗Ｒ１２との接続点に接続している。また、電池電源ＢＰ２のプラス側に、該電池電源ＢＰ２に直列に当該カメラ等の電源スイッチＰＳＷ１を挿入しており、図１のトランジスタＱ２の代わりに充電開始を制御している。このため、昇圧回路ＶＰ２の制御手段ＳＣ２は、図１の制御手段ＶＰ１の第１の制御信号φ１および第３の制御信号φ３に相当する第１の制御信号φ１および第３の制御信号φ３を、第１の制御信号出力（φ１）および第３の制御信号出力（φ３）から抵抗Ｒ１１および抵抗Ｒ１３を介してトランジスタＱ１１およびトランジスタＱ１３のベースにそれぞれ供給する。
【００３９】
この場合も、電池電源ＢＰ２は、例えば、公称１．５Ｖの乾電池２個の直列接続、または公称３Ｖのリチウム電池１個等のように、電池を用いて公称３Ｖの電源電圧を得るように構成している。トランジスタＱ１１は、この場合ｐｎｐトランジスタであり、制御端子を有する第１のスイッチング手段を構成する。トランジスタＱ１１は、ベース（ベース電極）を制御端子とし、エミッタ（エミッタ電極）−コレクタ（コレクタ電極）間を被制御路としている。このトランジスタＱ１１の被制御路であるエミッタ−コレクタ間と、抵抗Ｒ１２とを互いに直列接続として、電池電源ＢＰ２のプラス側とマイナス側との間に接続している。すなわち、電池電源ＢＰ２のプラス側にトランジスタＱ１１のエミッタを接続し、トランジスタＱ１１のコレクタを抵抗Ｒ１２の一端に接続し、そして抵抗Ｒ１２の他端を電池電源ＢＰ２のマイナス側に接続している。トランジスタＱ１１のベースは、抵抗Ｒ１１を介して制御手段ＳＣ１の第１の制御信号出力φ１（第１の制御信号φ１）に接続される。
【００４０】
ダイオードＤ１１は、第２のスイッチング手段としてコンデンサＣ１１と直列に接続され、これらダイオードＤ１１とコンデンサＣ１１の直列回路は、電池電源ＢＰ２のプラス側と、前記トランジスタＱ１１の被制御路と抵抗Ｒ１２との接続点との間に接続される。すなわち、ダイオードＤ１１のアノードが電池電源ＢＰ２のプラス側（トランジスタＱ１１のエミッタに接続されている）に接続され、ダイオードＤ１１のカソード側に一端が接続されたコンデンサＣ１１の他端が、トランジスタＱ１１のコレクタと抵抗Ｒ１２との接続点に接続される。この場合もコンデンサＣ１１としては、例えば電気二重層を用いた電気二重層コンデンサのような、小型大容量のコンデンサを用いる。
【００４１】
白色発光ダイオードＬＷ２、青色発光ダイオードＬＢ２、緑色発光ダイオードＬＧ２および赤色発光ダイオードＬＲ２は、それぞれ所定の順方向電圧以上の電圧にて順方向に通電されると、白色、青色、緑色および赤色に発光する発光ダイオードである。白色発光ダイオードＬＷ２は、アノード側が抵抗Ｒ１５を介して、ダイオードＤ１１のカソードとコンデンサＣ１１との接続点に接続され、青色発光ダイオードＬＢ２は、アノード側が抵抗Ｒ１６を介して、ダイオードＤ１１のカソードとコンデンサＣ１１との接続点に接続され、そして緑色発光ダイオードＬＧ２は、アノード側が抵抗Ｒ１７を介して、ダイオードＤ１１のカソードとコンデンサＣ１１との接続点に接続される。さらに、赤色発光ダイオードＬＲ２は、アノード側が抵抗Ｒ１８を介して、電池電源ＢＰ２のプラス側に接続される。
【００４２】
トランジスタＱ１３は、この場合ｎｐｎトランジスタであり、制御端子を有する第３のスイッチング手段を構成する。トランジスタＱ１３は、ベースを制御端子とし、コレクタ−エミッタ間を被制御路としている。トランジスタＱ１３の被制御路であるコレクタ−エミッタ間は、白色発光ダイオードＬＷ２、青色発光ダイオードＬＢ２、緑色発光ダイオードＬＧ２および赤色発光ダイオードＬＲ２のカソードと電池電源ＢＰ２のマイナス側との間に介挿されている。すなわち、白色発光ダイオードＬＷ２、青色発光ダイオードＬＢ２、緑色発光ダイオードＬＧ２および赤色発光ダイオードＬＲ２のカソードをトランジスタＱ１３のコレクタに共通に接続し、トランジスタＱ１３のエミッタを電池電源ＢＰ２のマイナス側に接続している。トランジスタＱ１３のベースは、抵抗Ｒ１３を介して制御手段ＳＣ２の第３の制御信号出力φ３（第３の制御信号φ３）に接続される。トランジスタＱ１３のベースとエミッタとの間には、抵抗Ｒ１４が接続される。トランジスタＱ１３は、制御手段ＳＣ２より、シャッタ開閉機構（図示していない）に連動して与えられる第３の制御信号φ３により、シャッタ開放時にオンとなって、白色発光ダイオードＬＷ２、青色発光ダイオードＬＢ２、緑色発光ダイオードＬＧ２および赤色発光ダイオードＬＲ２のカソードを電池電源ＢＰ２のマイナス側に共通接続する。
【００４３】
制御手段ＳＣ２は、第１および第３の制御信号出力φ１およびφ３を発生し、それぞれ抵抗Ｒ１１およびＲ１３を介して、トランジスタＱ１およびＱ３の各ベースにそれぞれ供給する。制御手段ＳＣ２は、第１の制御信号出力φ１により、トランジスタＱ１を作動させて、昇圧回路ＶＰ２の動作を制御し、第３の制御信号出力φ３により、トランジスタＱ１３を作動させて、白色発光ダイオードＬＷ２、青色発光ダイオードＬＢ２、緑色発光ダイオードＬＧ２および赤色発光ダイオードＬＲ２の駆動発光を制御する。
電源スイッチＰＳＷ１は、当該カメラ等の電源をオン／オフ操作するために設けられているが、この電源スイッチＰＳＷ１は、実質的に、図１におけるトランジスタＱ２の代わりにコンデンサＣ１１に対する充電も制御している。
【００４４】
このような構成における動作を図５に示すタイミングチャートを参照して説明する。電源スイッチＰＳＷ１をオンとすると、各部の動作が開始され、それぞれの機能が有効になるとともに、電池電源ＢＰ２からダイオードＤ１１および抵抗Ｒ１２を通してコンデンサＣ１１を充電する。抵抗Ｒ１２の値を小さくすると充電時間は短くなるが、白色発光ダイオードＬＷ２、青色発光ダイオードＬＢ２および緑色発光ダイオードＬＧ２が発光する時に電池電源ＢＰ２から抵抗Ｒ１２へ流れる無駄な電流も増加してしまう。そこで、抵抗Ｒ１２に流す電流は発光ダイオードＬＷ２、ＬＢ２およびＬＧ２に流す電流の１０％程度にしておけば、充電時間も１秒程度で済み、無駄な電流も実用上差し支えない範囲内に収まる。
シャッタの開動作に連動して、第１の制御信号φ１が“Ｌ”になるとトランジスタＱ１１がオンとなり、コンデンサＣ１１の充電電圧が電源電圧に加算され、撮影照明用の発光ダイオードＬＷ２、ＬＢ２およびＬＧ２の順方向電圧以上になって、発光ダイオードＬＷ２、ＬＢ２およびＬＧ２を発光させる。
【００４５】
このようにして、図１における第２のスイッチング手段としてのトランジスタＱ２を抵抗Ｒ１２で置き換えることによって、制御および制御のための回路構成を簡単にすることができ、部品点数およびコストの削減を図ることができる。なお、スイッチング手段を抵抗で置き換えることによって、充電時間が多少長くなる。
しかしながら、充電をカメラ等の電源のオンによって開始させるようにすることによって、充分に長い充電時間を確保することができ、実用上問題はない。また、発光ダイオードＬＷ２、ＬＢ２およびＬＧ２の発光時に、抵抗Ｒ１２を通して無駄な電流が若干流れるが、この電流も発光電流の１０％以下に抑制することは容易であり。実用上問題にはならない。
上述したように、コンデンサの充電をカメラ等の電源スイッチをオンとすることによって開始させ、充電開始制御用のスイッチング素子を抵抗で置き換えたため、さらに制御それ自体および制御のための回路構成を共に簡略化することができる。
【００４６】
図６は、本発明の（請求項６に対応する）第４の実施の形態に係る撮影用照明装置の回路構成を示しており、図７にその動作のタイミングチャートを示している。
図６に示す撮影用照明装置は、電池電源ＢＰ３、トランジスタＱ２１、トランジスタＱ２２、トランジスタＱ２３、制御手段ＳＣ３、ダイオードＤ２１、コンデンサＣ２１、白色発光ダイオードＬＷ３、青色発光ダイオードＬＢ３、緑色発光ダイオードＬＧ３、赤色発光ダイオードＬＲ３１、赤色発光ダイオードＬＲ３２および抵抗Ｒ２１〜Ｒ２８を具備している。トランジスタＱ２１、トランジスタＱ２２、制御手段ＳＣ３、ダイオードＤ２１、コンデンサＣ２１、抵抗Ｒ２１および抵抗Ｒ２２は、昇圧回路ＶＰ３を構成する。
【００４７】
図６において、電池電源ＢＰ３、トランジスタＱ２１、トランジスタＱ２２、ダイオードＤ２１、コンデンサＣ２１、白色発光ダイオードＬＷ３、青色発光ダイオードＬＢ３、緑色発光ダイオードＬＧ３、抵抗Ｒ２１、抵抗Ｒ２２および抵抗Ｒ２４〜Ｒ２７は、図１における電池電源ＢＰ１、トランジスタＱ１、トランジスタＱ２、ダイオードＤ１、コンデンサＣ１、白色発光ダイオードＬＷ１、青色発光ダイオードＬＢ１、緑色発光ダイオードＬＧ１、抵抗Ｒ１、抵抗Ｒ２および抵抗Ｒ４〜Ｒ７とそれぞれほぼ同様の構成である。
図６においては、トランジスタＱ２３のベースは、制御手段２３には接続されず、抵抗Ｒ２３を介して、トランジスタＱ２１のコレクタとトランジスタＱ２２のコレクタとの接続点に接続される。このため、制御手段ＳＣ３は、第１の制御信号出力φ１および第２の制御信号出力φ２のみを有している（第３の制御信号出力φ３は有していない）。すなわち、トランジスタＱ３のベースには、抵抗２３の一端が接続され、抵抗２３の他端は、トランジスタＱ２１のコレクタ、トランジスタＱ２２のコレクタ、およびコンデンサＣ２１の接続点に接続されている。
【００４８】
各々赤色発光ダイオードＬＲ１とほぼ同様な、赤色発光ダイオードＬＲ３１と赤色発光ダイオードＬＲ３２とは、抵抗Ｒ２８と共に互いに直列に接続され、この直列回路には、昇圧回路ＶＰ３の出力が供給される。つまり、抵抗Ｒ２５と白色発光ダイオードＬＷ３の直列回路、抵抗Ｒ２６と青色発光ダイオードＬＢ３の直列回路、および抵抗Ｒ２７と緑色発光ダイオードＬＧ３の直列回路は、互いに並列に接続されているが、これら各直列回路に並列に、上述した抵抗Ｒ２８、赤色発光ダイオードＬＲ３１および赤色発光ダイオードＬＲ３２の直列回路が接続されている。さらに具体的には、ダイオードＤ２１のカソードとコンデンサＣ２１の接続点に一端が接続された抵抗Ｒ２８の他端には、赤色発光ダイオードＬＲ３１のアノードが接続され、赤色発光ダイオードＬＲ３１のカソードには、赤色発光ダイオードＬＲ３２のアノードが接続され、そして赤色発光ダイオードＬＲ３２のカソードは、トランジスタＱ２３のコレクタに接続されている。
このような構成における動作を図７に示すタイミングチャートを参照して説明する。
【００４９】
シャッタの開動作に連動して、制御手段ＳＣ３から出力される第１の制御信号φ１が“Ｈ”→“Ｌ”になるとトランジスタＱ２１がオンとなり、それによってトランジスタＱ２３もオンとなる。また、トランジスタＱ２１がオンとなるとコンデンサＣ２１の充電電圧が、電源電池ＢＰ３による電源電圧に加算されるので、撮影照明用の発光ダイオードＬＷ３、ＬＢ３およびＬＧ３の順方向電圧以上、並びに赤色発光ダイオードＬＲ３１とＬＲ３２の直列回路の合算された順方向電圧以上になって、発光ダイオードＬＷ３、ＬＢ３、ＬＧ３、ＬＲ３１およびＬＲ３２を発光する。
なお、この回路ではコンデンサＣ２１が放電されている状態で、電池電源ＢＰ３を電池交換等により挿入すると、コンデンサＣ２１の充電が終わるまで、電池電源ＢＰ３からダイオードＤ２１、コンデンサＣ２１、抵抗Ｒ２３およびＲ２４５を流れる電流に基づき、電池電源ＢＰ３からダイオードＤ２１、コンデンサＣ２１および抵抗Ｒ２３を通ってトランジスタＱ２３のベース電流が流れて、トランジスタＱ２３はオンとなる。
【００５０】
しかしながら、このときにも、電池電源ＢＰ３の公称３Ｖの電源電圧よりも、個々の順方向電圧が低い赤色発光ダイオードＬＲ３１とＬＲ３２を２個直列に接続して、合成順方向電圧が電池電圧よりも高くなるようにしているため、発光ダイオードＬＷ３、ＬＢ３、ＬＧ３、ＬＲ３１およびＬＲ３２には電流が流れず、発光しない。
このように、赤色発光ダイオードＬＲ３１とＬＲ３２を２個直列に接続することによって、赤色発光ダイオードＬＲ３１とＬＲ３２の直列回路の合成順方向電圧を高くし、白色発光ダイオードＬＷ３、青色発光ダイオードＬＢ３、緑色発光ダイオードＬＧ３、赤色発光ダイオードＬＲ３１および赤色発光ダイオードＬＲ３２の通電を制御するスイッチング手段をトランジスタＱ２３で構成して、そのベース電極を第１のスイッチング手段であるトランジスタＱ２１のコレクタと第２のスイッチング手段であるトランジスタＱ２２のコレクタとの接続点に接続することによって、回路構成が簡素化される。
【００５１】
上述したように、２個の赤色発光ダイオードＬＲ３１およびＬＲ３２を直列に接続して、電池電源ＢＰ３の電源電圧だけでは、発光ダイオードＬＷ３、ＬＢ３、ＬＧ３、ＬＲ３１およびＬＲ３２に電流が流れないようにすることにより、コンデンサの充電回路を簡略化することができ、部品点数およびコストを削減することが可能となる。
図８は、本発明の（請求項７に対応する）第５の実施の形態に係る撮影用照明装置の回路構成を示しており、図９にその動作のタイミングチャートを示している。
図８に示す撮影用照明装置は、電池電源ＢＰ４、トランジスタＱ３１、トランジスタＱ３３、制御手段ＳＣ４、ダイオードＤ３１、コンデンサＣ３１、電源スイッチＰＳＷ２、白色発光ダイオードＬＷ４、青色発光ダイオードＬＢ４、緑色発光ダイオードＬＧ４、赤色発光ダイオードＬＲ４１、赤色発光ダイオードＬＲ４２、抵抗Ｒ３１および抵抗Ｒ３３〜Ｒ３８を具備している。トランジスタＱ３１、制御手段ＳＣ４、ダイオードＤ３１、コンデンサＣ３１および抵抗Ｒ３１は、昇圧回路ＶＰ４を構成する。
【００５２】
図８において、電池電源ＢＰ４、トランジスタＱ３１、トランジスタＱ３３、ダイオードＤ３１、コンデンサＣ３１、白色発光ダイオードＬＷ４、青色発光ダイオードＬＢ４、緑色発光ダイオードＬＧ４、赤色発光ダイオードＬＲ４１、赤色発光ダイオードＬＲ４２、抵抗Ｒ３１および抵抗Ｒ３３〜Ｒ３８は、それぞれ図６における電池電源ＢＰ３、トランジスタＱ２１、トランジスタＱ２３、ダイオードＤ２１、コンデンサＣ２１、白色発光ダイオードＬＷ３、青色発光ダイオードＬＢ３、緑色発光ダイオードＬＧ３、赤色発光ダイオードＬＲ３１、赤色発光ダイオードＬＲ３２、抵抗Ｒ２１および抵抗Ｒ２３〜Ｒ２８とほぼ同様の構成である。
【００５３】
図８においては、図４の場合とほぼ同様に、図６の構成に対して、トランジスタＱ２２を省略し、カメラ等の電源スイッチとしてＰＳＷ２を追加している。
すなわち、トランジスタＱ３１のコレクタは、ダイオードＤ３１のカソードに一端が接続されたコンデンサＣ３１の他端と共に抵抗Ｒ３３に共通に接続されている。抵抗Ｒ３３の一端はトランジスタＱ３３のベースに接続され、抵抗Ｒ３３の他端が、トランジスタＱ３１のコレクタと、コンデンサＣ３１の前記他端との接続点に接続されている。また、電池電源ＢＰ４のプラス側に、該電池電源ＢＰ４に直列に当該カメラ等の電源スイッチＰＳＷ２を挿入しており、図６のトランジスタＱ２２の代わりに充電開始を制御している。このため、昇圧回路ＶＰ４の制御手段ＳＣ４は、図６の制御手段ＶＰ３の第１の制御信号φ１に相当する第１の制御信号φ１を、第１の制御信号出力（φ１）から抵抗Ｒ３１を介してトランジスタＱ３１のベースに供給する。
【００５４】
この場合も、各々赤色発光ダイオードＬＲ３１と赤色発光ダイオードＬＲ３２とほぼ同様な、赤色発光ダイオードＬＲ４１と赤色発光ダイオードＬＲ４２とは、抵抗Ｒ３８と共に互いに直列に接続され、この直列回路には、昇圧回路ＶＰ４の出力が供給される。つまり、抵抗Ｒ３５と白色発光ダイオードＬＷ４の直列回路、抵抗Ｒ３６と青色発光ダイオードＬＢ４の直列回路、および抵抗Ｒ３７と緑色発光ダイオードＬＧ４の直列回路は、互いに並列に接続されているが、これら各直列回路に並列に、上述した抵抗Ｒ３８、赤色発光ダイオードＬＲ４１および赤色発光ダイオードＬＲ４２の直列回路が接続されている。さらに具体的には、ダイオードＤ３１のカソードとコンデンサＣ３１の接続点に一端が接続された抵抗Ｒ３８の他端には、赤色発光ダイオードＬＲ４１のアノードが接続され、赤色発光ダイオードＬＲ４１のカソードには、赤色発光ダイオードＬＲ４２のアノードが接続され、そして赤色発光ダイオードＬＲ４２のカソードは、トランジスタＱ３３のコレクタに接続されている。
【００５５】
電源スイッチＰＳＷ２は、当該カメラ等の電源をオン／オフ操作するために設けられているが、この電源スイッチＰＳＷ２は、実質的に、図４におけるトランジスタＱ２２の代わりにコンデンサＣ３１に対する充電も制御している。
このような構成における動作を図９に示すタイミングチャートを参照して説明する。
電源スイッチＰＳＷ２をオンとすると、各部の動作が開始され、それぞれの機能が有効になるとともに、電池電源ＢＰ４からダイオードＤ３１および抵抗Ｒ３３、Ｒ３４を通して、上述したようにしてトランジスタＱ３３のベース電流が流れた後は、電池電源ＢＰ４からダイオードＤ３１、抵抗Ｒ３３およびトランジスタＱ３３のベース−エミッタ間を通してコンデンサＣ３１を充電する。このコンデンサ３１の充電中にトランジスタＱ３３のベース電流が流れてトランジスタＱ３３がオンとなった際にも、個々の順方向電圧が電池電圧よりも低い２個の赤色発光ダイオードＬＲ４１と赤色発光ダイオードＬＲ４２を直列に接続して、合成の順方向電圧を電池電圧よりも高くしているため、これら赤色発光ダイオードＬＲ４１および赤色発光ダイオードＬＲ４２には電流が流れない。また、抵抗Ｒ３３の値は、通常発光ダイオードに流す電流の１／１０程度の電流が流れるように設定するため、コンデンサＣ３１の充電時間についても適当な値となる。
【００５６】
シャッタの開動作に連動して、制御手段ＳＣ４から出力される第１の制御信号φ１が“Ｈ”→“Ｌ”になるとトランジスタＱ３１がオンとなり、それによってトランジスタＱ３３もオンとなる。また、トランジスタＱ３１がオンとなることによりコンデンサＣ３１の充電電圧が、電源電池ＢＰ４による電源電圧に加算されるので、撮影照明用の発光ダイオードＬＷ４、ＬＢ４およびＬＧ４の順方向電圧以上、並びに赤色発光ダイオードＬＲ４１とＬＲ４２の直列回路の合算された順方向電圧以上になって、発光ダイオードＬＷ４、ＬＢ４、ＬＧ４、ＬＲ４１およびＬＲ４２を発光させる。
このように、図６の構成における第２のスイッチング手段を、発光ダイオードの通電制御用のトランジスタＱ３３のベースと抵抗Ｒ３３と抵抗Ｒ３４とで置き換えることによって、制御系およびその回路構成を簡単にすることができ、部品点数およびコストが削減される。しかも、図４の構成では、発光ダイオードの発光時に抵抗Ｒ１２に無駄な電流が流れていたが、図８の構成ではトランジスタＱ３３のベース電流となるため、無駄が無くなるという効果もある。
【００５７】
上述したように、コンデンサの充電をカメラ等の電源スイッチのオン動作によって行なうようにして、充電開始用のスイッチング素子を不要としたため、さらに制御動作およびそのための回路構成共に簡略化することができる。しかも、２個の赤色発光ダイオードＬＲ３１およびＬＲ３２を直列に接続して、電池電源ＢＰ３の電源電圧だけでは、発光ダイオードＬＷ３、ＬＢ３、ＬＧ３、ＬＲ３１およびＬＲ３２に電流が流れないようにしているので、さらにコンデンサの充電回路を簡略化することができ、部品点数およびコストを削減することが可能となる。
【００５８】
【発明の効果】
以上述べたように、本発明によれば、カメラ等において使用頻度が高く且つ使用装置の小型化が容易に実現できる電池である公称１．５Ｖの乾電池２個および公称３Ｖのリチウム電池１個等の公称３Ｖの電池電源を用いて、発光ダイオードを発光させ、写真等の撮影の照明に使用するにあたり、電池電源による電源電圧よりも順方向電圧の高い発光ダイオードを、シャッタが開いている間だけ、昇圧回路を作動させて発光させることによって、公称３Ｖの電池電源を用いて、発光ダイオードを撮影照明用に充分な光量で発光させることを可能とする撮影用照明装置を提供することができる。
【００５９】
すなわち、本発明の請求項１の撮影用照明装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧が蓄積される小型大容量のコンデンサの蓄積電圧を、昇圧回路により、前記電池電源の電源電圧に上乗せして昇圧し、前記白色発光ダイオードと、前記青色発光ダイオードおよび緑色発光ダイオードとのうちの使用されているものに前記昇圧された出力を供給し、該昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有し、さらに、制御端子を備えた第４のスイッチング手段を有し、該第４のスイッチング手段は、被制御路が前記各発光ダイオードの通電路に挿入されて、前記昇圧回路の前記制御手段により制御され、且つ前記制御手段は、前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うようにすることにより、特に、電池電源による電源電圧よりも順方向電圧の高い発光ダイオードをシャッタが開いている間だけ発光させるための昇圧回路を、簡単な制御信号により作動させて、回路の簡素化、およびそれによる部品点数と製造コストの削減を実現することができる。
【００６０】
また、本発明の請求項２の撮影用照明装置によれば、第１段目のオン動作によりカメラの撮影準備を行い、第２段目のオン動作によりシャッタレリーズ動作を行なわせるための２段動作式のレリーズスイッチをさらに備え、且つ前記制御手段は、前記レリーズスイッチに応答し、該レリーズスイッチの前記第１段目がオン動作された場合、および前記レリーズスイッチの第１段目のオンにより前記発光ダイオードによる照明の必要性の有無が判断されてその結果必要と判断された場合のいずれかにおいて、前記制御信号により前記第２のスイッチング手段をオンとして、前記コンデンサを充電させることにより、特に、カメラの撮影準備およびシャッタレリーズを所望に応じて適正に操作することを可能とするとともに、それに応じて前記コンデンサの充電開始を制御し、速写性を損なうことなく、適正に前記コンデンサの充電を開始させることが可能となる。
【００６１】
本発明の請求項３の撮影用照明装置によれば、前記制御手段が、前記レリーズスイッチの第２段目のオン動作時、前記レリーズスイッチの第１段目のオン動作から所定時間経過した後、および通電によってシャッタ羽根を開閉するアクチュエータを有する場合のその通電の直前、のうちのいずれかのタイミングにおいて、前記第２のスイッチング手段をオフとすることにより、特に、前記第２のスイッチング手段のオフによる前記コンデンサの充電停止を制御し、速写性を損なうことなく、しかもレリーズ時のシャッタ駆動系の負荷と前記コンデンサの充電とが重なることを防止することができる。
本発明の請求項４の撮影用照明装置によれば、前記制御手段が、前記シャッタ羽根がほぼ開放付近に達した時点で、前記第１のスイッチング手段をオンとし、且つ該シャッタ羽根が閉じ始めた時点で前記第１のスイッチング手段をオフとすることにより、特に、撮影照明用の発光ダイオードの発光タイミングを前記シャッタ羽根の開閉動作に対応させ、発光エネルギを効率よく利用することが可能となる。
【００６２】
本発明の請求項５の撮影用照明装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源をオン／オフ制御する電源スイッチを備え、前記電池電源の公称電圧とほぼ等しい電圧を蓄積するための小型大容量のコンデンサの蓄積電圧を、昇圧回路によって、前記電池電源の電源電圧に上乗せして昇圧し、前記白色発光ダイオードと、前記青色発光ダイオードおよび緑色発光ダイオードとのうちの使用されているものに前記昇圧された出力を供給し、前記昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有し、さらに、制御端子を備えた第３のスイッチング手段を有し、該第３のスイッチング手段は、被制御路が前記各発光ダイオードの通電路に挿入されて、前記昇圧回路の前記制御手段により制御されるとともに、前記制御手段は、前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うようにすることにより、特に、制御系を含む回路構成を簡単にすることができ、部品点数およびコストを削減することができる。
【００６３】
本発明の請求項６の撮影用照明装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧を蓄積するための小型大容量のコンデンサの蓄積電圧を、昇圧回路によって、前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給し、前記昇圧回路は、制御端子を備えた第１のスイッチング手段の被制御路および制御端子を備えた第２のスイッチング手段の被制御路を直列に接続した回路を、前記電池電源の一方の電極と他方の電極との間に接続し、第３のスイッチング手段および前記コンデンサを直列に接続した回路を、前記電池電源の前記一方の電極と前記第１のスイッチング手段と前記第２のスイッチング手段との接続点との間に接続し、前記第１のスイッチング手段の制御端子および前記第２のスイッチング手段の制御端子を制御する制御手段を有し、さらに、トランジスタからなる第４のスイッチング手段を有し、該第４のスイッチング手段は、エミッタ−コレクタ間が前記各発光ダイオードの通電路に挿入され且つベース電極が前記第１のスイッチング手段と前記第２のスイッチング手段との接続点に接続されるとともに、前記制御手段は、前記シャッタが開く前に、前記第２のスイッチング手段をオンとして、前記コンデンサをほぼ電源電圧まで充電し、その後に、前記第２のスイッチング手段をオフとし、シャッタが開いている間は、前記第１のスイッチング手段をオンとして、前記コンデンサの電圧を前記電源電圧に上乗せするとともに、前記第４のスイッチング手段によって、シャッタの開閉動作に連動して前記撮影照明用の発光ダイオードの通電を行うようにすることにより、特に、順方向電圧の低い赤色発光ダイオードと他の色の発光ダイオードとの両方を昇圧回路の出力で共通に駆動することができ、回路構成を簡素化することができ、部品点数およびコストを削減することができる。
【００６４】
本発明の請求項７の撮影用照明装置によれば、公称電圧約３Ｖの電池を電源として用い、１個以上の白色発光ダイオードと、各１個以上の赤色発光ダイオード、青色発光ダイオードおよび緑色発光ダイオードの三原色の発光ダイオードとのうちの少なくとも一方を使用して撮影視野の照明を行なうものであって、前記電池電源の公称電圧とほぼ等しい電圧を蓄積するための小型大容量のコンデンサの蓄積電圧を、昇圧回路によって、前記電池電源の電源電圧に上乗せして昇圧し、前記白色発光ダイオードと、前記青色発光ダイオード、緑色発光ダイオードおよび２個直列に接続された前記赤色発光ダイオードとのうちの使用されているものに前記昇圧された出力を供給し、前記昇圧回路は、制御端子を備えた第１のスイッチング手段の被制御路および抵抗を直列に接続した回路を、前記電池電源の一方の電極と他方の電極との間に接続し、第２のスイッチング手段および前記コンデンサを直列に接続した回路を、前記電池電源の前記一方の電極と前記第１のスイッチング手段と前記抵抗との接続点との間に接続し、前記第１のスイッチング手段の制御端子を制御する制御手段を有し、さらにトランジスタからなる第３のスイッチング手段を有し、該第３のスイッチング手段は、エミッタ−コレクタ間が前記各発光ダイオードの通電路に挿入され且つベース電極が前記第１のスイッチング手段と前記抵抗との接続点および前記抵抗の中間点のいずれか一方に接続されるとともに、前記制御手段は、前記電源スイッチがオンとなっている間は、前記シャッタが開く前に、前記コンデンサをほぼ電源電圧まで充電し、その後、シャッタが開いている間は、前記第１のスイッチング手段をオンとして、前記コンデンサの電圧を前記電源電圧に上乗せするとともに、前記第３のスイッチング手段によって、シャッタの開閉動作に連動して前記撮影照明用の発光ダイオードの通電を行うようにすることにより、特に、制御系を含む回路構成を簡単にすることができ、部品点数およびコストを削減し得るとともに、発光ダイオードの発光時の電流の無駄な消費も低減することができる。
本発明の請求項８の撮影用照明装置によれば、前記小型大容量のコンデンサが、電気二重層を用いたコンデンサを含む構成により、特に、実用的で且つ好適な構成を容易に実現することができる。
【図面の簡単な説明】
【図１】本発明の第１の実施の形態に係る撮影用照明装置の要部の構成を示す回路構成図である。
【図２】図１の撮影用照明装置の動作を説明するためのタイミングチャートである。
【図３】本発明の第２の実施の形態に係る撮影用照明装置の動作を説明するためのタイミングチャートである。
【図４】本発明の第３の実施の形態に係る撮影用照明装置の要部の構成を示す回路構成図である。
【図５】図４の撮影用照明装置の動作を説明するためのタイミングチャートである。
【図６】本発明の第４の実施の形態に係る撮影用照明装置の要部の構成を示す回路構成図である。
【図７】図６の撮影用照明装置の動作を説明するためのタイミングチャートである。
【図８】本発明の第５の実施の形態に係る撮影用照明装置の要部の構成を示すブロック図である。
【図９】図８の撮影用照明装置の動作を説明するためのタイミングチャートである。
【符号の説明】
ＢＰ１，ＢＰ２，ＢＰ３，ＢＰ４  電池電源
ＶＰ１，ＶＰ２，ＶＰ３，ＶＰ４  昇圧回路
ＳＣ１，ＳＣ２，ＳＣ３，ＳＣ４  制御手段
ＬＷ１，ＬＷ２，ＬＷ３，ＬＷ４  白色発光ダイオード（ＬＥＤ）
ＬＢ１，ＬＢ２，ＬＢ３，ＬＢ４  青色発光ダイオード
ＬＧ１，ＬＧ２，ＬＧ３，ＬＧ４  緑色発光ダイオード
ＬＲ１，ＬＲ２，ＬＲ３１，ＬＲ３２，ＬＲ４１，ＬＲ４２  赤色発光ダイオード（ＬＥＤ）
Ｑ１〜Ｑ３，Ｑ１１，Ｑ１３，Ｑ２１〜Ｑ２３，Ｑ３１，Ｑ３３  トランジスタ
Ｄ１，Ｄ１１，Ｄ２１，Ｄ３１  ダイオード
Ｃ１，Ｃ１１，Ｃ２１，Ｃ３１  コンデンサ
Ｒ１〜Ｒ８，Ｒ１１〜Ｒ１８，Ｒ２１〜Ｒ２８，Ｒ３１，Ｒ３３〜Ｒ３８  抵抗
ＰＳＷ１，ＰＳＷ２  電源スイッチ
【図１】
0003846774.tif 000002
【図２】
0003846774.tif 000003
【図３】
0003846774.tif 000004
【図４】
0003846774.tif 000005
【図５】
0003846774.tif 000006
【図６】
0003846774.tif 000007
【図７】
0003846774.tif 000008
【図８】
0003846774.tif 000009
【図９】
0003846774.tif 000010